(57)【要約】【課題】外部電源が使用できない場合における映像表示装置の利便性を向上させた映像表示装置および表示制御方法を提供する。【解決手段】テレビジョン受信装置１００は、内蔵されるバッテリ５５３で駆動している場合に選択中の放送信号が受信不可になった場合、照明モードと放送切換モードとが選択可能である。照明モードでは、表示部３０１における映像の表示を行わず、表示器３００のバックライトの照射を継続することで、テレビジョン受信装置１００を照明代わりとして使用することができる。放送切換モードでは、受信できなくなった放送信号から、受信可能な他の放送信号へ切り換える。【選択図】  図１
2013081006.tif 000002
【特許請求の範囲】
【請求項１】
映像を表示する表示部と、
前記表示部を照射する照射部と、
前記表示部及び前記照射部へ電力を供給するバッテリと、
前記バッテリで駆動している場合、前記照射部における照射を継続すると共に、前記表
示部における映像の表示を切り換える表示制御手段と、
を備える映像表示装置。
【請求項２】
前記表示制御手段は、前記バッテリで駆動している場合には、前記表示部で映像を表示
しない請求項１に記載の映像表示装置。
【請求項３】
前記表示部で表示する映像を受信する受信手段を更に有し、
前記表示制御手段は、前記表示部に表示していたコンテンツが受信不可能になった場合
、前記受信手段で受信可能なコンテンツに切り換える請求項１に記載の映像表示装置。
【請求項４】
放送信号を受信する受信手段を更に有し、
前記表示制御手段は、前記受信手段で受信する放送信号に基づいて映像を表示し、前記
表示部に表示していた映像の放送信号が受信不可能になった場合、前記受信手段で受信可
能な放送信号に切り換える請求項１に記載の映像表示装置。
【請求項５】
映像を表示部に表示し、
前記表示部を照射部により照射し、
前記表示部及び前記照射部へバッテリから電力を供給し、
前記バッテリで駆動している場合、前記照射部における照射を継続すると共に、前記表
示部における映像の表示を切り換える表示制御方法。
【発明の詳細な説明】
【技術分野】
【０００１】
本発明の実施形態は、映像表示装置および表示制御方法に関する。
【背景技術】
【０００２】
近年は、電力供給会社の発電プラントから供給される電力に対する節電対策が話題とな
っている。発電プラントからの電力供給量に対して管轄地域の全体電力消費量が多くなる
と、停電が生じ、工場、病院、などで多大な被害を生じる恐れがある。
【０００３】
停電対策を講じた情報端末機として、室内の明るさが暗いときには表示部を照射するバ
ックライトの輝度を下げ、停電時に用いられるバックアップ電源の容量を小さくしたもの
が開示されている（例えば、特許文献１）。
【先行技術文献】
【特許文献】
【０００４】
【特許文献１】特開２００２−７２１６５号公報
【発明の概要】
【発明が解決しようとする課題】
【０００５】
また、テレビジョン受信装置においても、停電対策を講じたものも登場している。テレ
ビジョン受信装置にバッテリを内蔵することで、外部電源が取得できない場合であっても
放送を受信し、番組を視聴することができる。
【０００６】
停電が発生した場合、室内の照明なども消灯し、室内が暗く生活に支障をきたす虞があ
る。このような事態に備えて、バッテリ駆動可能な装置を照明の代わりとして使用したい
という要求がある。
【０００７】
本発明の目的は、外部電源が使用できない場合における映像表示装置の利便性を向上さ
せた映像表示装置およびその制御方法を提供することである。
【課題を解決するための手段】
【０００８】
実施形態によれば、映像表示装置は、映像を表示する表示部と、前記表示部を照射する
照射部と、前記表示部及び前記照射部へ電力を供給するバッテリと、前記バッテリで駆動
している場合、前記照射部における照射を継続すると共に、前記表示部における映像の表
示を切り換える表示制御手段とを備える。
【０００９】
また、実施形態によれば、表示制御方法は、映像を表示部に表示し、前記表示部を照射
部により照射し、前記表示部及び前記照射部へバッテリから電力を供給し、前記バッテリ
で駆動している場合、前記照射部における照射を継続すると共に、前記表示部における映
像の表示を切り換える。
【図面の簡単な説明】
【００１０】
【図１】本実施形態によるテレビジョン受信装置の各動作モードにおける動作を説明する図。
【図２】本実施形態によるテレビジョン受信装置の全体構成の代表的な一例を示すブロック図。
【図３】本実施形態におけるテレビジョン受信装置の各動作モードにおける動作を説明するブロック図。
【図４】本実施形態におけるテレビジョン受信装置の動作モードを選択する画面の一例。
【図５】本実施形態におけるテレビジョン受信装置の動作モードの切り換え手順を示すフローチャート。
【発明を実施するための形態】
【００１１】
以下、図面を参照して、実施形態について説明する。
図１は、本実施形態のテレビジョン受信装置１００の、各動作モードにおける動作を説
明する図である。本実施形態は、テレビジョン受信装置１００に内蔵されているバッテリ
で駆動している場合の動作モードである。即ち、停電などで外部商用電力の供給が停止し
ている状態であり、テレビジョン受信装置１００は内蔵バッテリを電力供給源として動作
している。図１上段に（Ａ）照明モードを選択した場合、図１下段に（Ｂ）放送切換モー
ドを選択した場合のそれぞれの動作を示している。
【００１２】
まず、（Ａ）照明モードにおいては、アンテナやケーブル等を介して入力される放送信
号の信号処理を行わず、バックライトの点灯を継続することでテレビジョン受信装置１０
０を照明代わりに用いる。
【００１３】
次に、（Ｂ）放送切換モードにおいては、停電により受信不可能になった選択中の放送
信号の代わりに、他の受信可能な放送信号へ切り換える。例えば、停電によってケーブル
テレビ局とテレビジョン受信装置１００との間に設けられるセットトップボックスが動作
不可能となり、選択中のケーブルテレビ放送が受信できなくなった場合に、受信可能であ
る地上波デジタル放送に自動で切り換える。
【００１４】
以上のように、本実施形態におけるテレビジョン受信装置１００は、（Ａ）照明モード
及び（Ｂ）放送切換モードを備えることにより、停電時であっても使用することができる
。以下、本実施形態におけるテレビジョン受信装置１００の構成及び動作について説明す
る。
【００１５】
図２は、本実施形態における本実施形態によるテレビジョン受信装置１００の全体構成
の代表的な一例を示すブロック図である。
チューナ部１１０は、ここでは、図示しないアンテナ及びケーブルを介して、地上波デ
ジタル放送、衛星デジタル放送、ケーブルテレビ放送の３つの放送方式に対応した放送信
号を受信する。即ち、チューナ部１１０は、地上波デジタル放送受信部１１１と、衛星デ
ジタル放送受信部１１２と、ケーブルテレビ放送受信部１１３とを有する。ここで、ケー
ブルテレビ放送とは、有線方式で番組を配信する配信事業者（ケーブルテレビジョン事業
体）等の供給元（以下、ＣＡＳ（Ｃｏｎｄｉｔｉｏｎａｌ  Ａｃｃｅｓｓ  Ｓｙｓｔｅｍ
）と呼称する）が提供する放送を指す。
【００１６】
尚、チューナ部１１０で受信可能な放送信号は、上記の３つに限定されることはなく、
他の種類の放送信号を受信可能としても良い。例えば、チューナ部１１０は、インターネ
ット経由で配信されるコンテンツも受信可能である。
【００１７】
チューナ部１１０は、３つの放送の中から放送信号の選局を行い、この選局されたチャ
ンネルの放送信号を復調し、所望の番組を含んだトランスポートストリームを得て信号処
理器２００に入力する。
【００１８】
チューナ部１１０で選択されたチャンネル内に含まれる復調された番組信号は、信号処
理器２００に入力される。信号処理器２００は、映像信号処理回路２０１、オーディオ信
号処理系２０２を含む。映像信号処理回路２０１は、符号化（エンコード）されている映
像信号を元のベースバンドの映像信号に復号化（デコード）する。符号化・復号化方式は
、例えばＭＰＥＧ（Ｍｏｖｉｎｇ  Ｐｉｃｔｕｒｅ  Ｅｘｐｅｒｔｓ  Ｇｒｏｕｐ）、Ｈ
．２６４／ＡＶＣ（Ａｄｖａｎｃｅｄ  Ｖｉｄｅｏ  Ｃｏｄｉｎｇ）などの方式がある。
映像信号処理回路２０１から出力されるベースバンドの映像信号が、表示器３００に供給
される。
【００１９】
オーディオ信号処理回路２０２は、番組信号からオーディオストリームを取り出し復号
する。復号されたオーディオ信号は、デジタルアナログ変換器２０３にてアナログ信号に
変換されて、スピーカ２０４に供給される。図の例は、ヘッドホーンを示しているがヘッ
ドホーンに限定されるものではなく、据え置き型のスピーカであってもよい。
【００２０】
信号処理器２００は、制御ブロック４００の制御の元で、外部機器との接続が可能であ
る。例えばＨＤＭＩ（Ｈｉｇｈ  Ｄｅｆｉｎｉｔｉｏｎ  Ｍｕｌｔｉｍｅｄｉａ  Ｉｎｔ
ｅｒｆａｃｅ）２０５を介して、外部の情報記録再生装置、例えば光ディスク（ＤＶＤ、
ＢＤ（登録商標）など）記録再生装置と接続されることが可能である。従って、信号処理
器２００は、外部の情報記録再生装置からの再生信号を受け取り、表示出力のための信号
処理、オーディオ出力のための信号処理を行うことができる。また、外部の情報記録再生
装置に向けて、記録のための信号を伝送することが可能である。
【００２１】
また、信号処理器２００は、制御ブロック４００の制御の元で、ＵＳＢ（Ｕｎｉｖｅｒ
ｓａｌ  Ｓｅｒｉａｌ  Ｂｕｓ）２０６を介して、ハードディスクドライブ（ＨＤＤ）２
０７との接続も可能である。このハードディスクドライブ２０７は、バッテリ２０８を搭
載しており、停電時には、例えば２−３時間程度の自力ドライブが可能である。また制御
信号に基づいて他のブロックへの電源供給も可能である。
【００２２】
制御ブロック４００は、動作状態制御部４０１と、表示状態制御部４０２と、電源制御
部４０３と、操作信号対応部４０４とを有する。
動作状態制御部４０１は、外部或いは内部の状態信号、或いは外部からの操作信号に応
答して、テレビジョン受信装置内１００のブロックの状態を制御する。例えば、チューナ
部１１０で受信する放送を、地上波デジタル放送や衛星デジタル放送やケーブルテレビ放
送などの間で切り換える。さらに信号処理器２００における信号処理状態を制御すること
ができる。例えば、自動或いは手動に関わらす、設定された条件に応じてカラー調整、輝
度調整、電源の部分シャットオフなどを制御することも可能である。
【００２３】
表示状態制御部４０２は、表示器３００のバックライトの調整、バックライトの照明エ
リアの制御行うことができ、さらにまた映像信号の輝度制御、拡大縮小制御、さらには表
示位置の移動制御などを行うことができる。
【００２４】
電源制御部４０３は、電源出力回路５００を制御し、テレビジョン受信装置１００の電
源使用状態を、商用電源（外部電源）使用状態、バッテリ電源使用状態に切り換えること
ができる。この電源使用状態は、スイッチ５０２が電源制御部４０３により制御されるこ
とで切り換えられる。
【００２５】
操作信号対応部４０４は、リモートコントローラ７００から送信された操作信号が、リ
モートコントローラ信号受信器４５５を介して入力したとき前記操作信号を解析する。操
作信号対応部４０４は、操作信号を解析した結果に応じて、テレビジョン受信装置１００
の動作状態を制御する。動作状態としては、主電源のオンオフなどを行う。なお操作信号
は、リモートコントローラ受信器４５５からだけでなく、手動操作部４５６からも入力す
ることができる。手動操作部４５６がユーザにより操作されると、操作信号が操作信号対
応部４０４により解析される。
【００２６】
ＲＡＭ（Ｒａｎｄｏｍ  Ａｃｃｅｓｓ  Ｍｅｍｏｒｙ）４５１は、各種プログラムが展
開される、いわゆるワーキングメモリである。書き込み読出しが可能なメモリであればよ
く、不揮発性メモリなどである。またＲＡＭ４５１には、オンスクリーンディスプレイ（
ＯＳＤ）のための各種のデータ（アイコン、警告文字情報、チャンネル番号など）が格納
されていてもよいことは勿論である。また、本実施形態においては、後述する動作モード
選択画面３０２を表示するためのデータも格納されている。
【００２７】
また、制御ブロック４００には、リードオンリーメモリ（ＲＯＭ）４５２が接続されて
おり、ＲＯＭ４５２には、例えば、テレビジョン受信装置で利用される各種のソフトウェ
アが格納されている。ソフトウェアは、テレビジョン受信装置１００が動作するとき、例
えばＲＡＭ４５１に展開されて、操作信号や指令信号に応じて動作手順を実行する。
【００２８】
また、制御ブロック４００には、明るさセンサ４５３が接続されており、明るさセンサ
４５３は、テレビジョン受信装置１００の筐体外部の明るさに関する情報を取得すること
ができる。
【００２９】
次に、電源系統について説明する。プラグ５５１から取り込まれる商用交流電源が、Ａ
Ｃアダプタ５５２で整流されて電源出力回路５００に入力される。電源出力回路５００は
、アダプタ５５２の出力を用いて各種直流電圧に変換している。ＡＣアダプタ場ない場合
は、電源出力回路５００は、商用交流電源を整流して、種々の値の直流電圧を生成するこ
とができる。また電源出力回路５００は、バッテリ５５３からの電源を取り込むことがで
きる。電源出力回路５００はバッテリ５５３からの直流電圧をＤＣ／ＤＣ変換器５０１で
変換し、種々の値の直流電圧を生成することができる。
【００３０】
電源出力回路５００は、電源制御部４０３の制御の元で、テレビジョン受信装置１００
の電源使用状態を、商用電源（外部電源）使用状態、バッテリ電源使用状態に切り換える
ことができる。
【００３１】
図３は、本実施形態におけるテレビジョン受信装置１００の各動作モードにおける動作
を説明するブロック図である。
まず、リモートコントローラ７００は、ユーザ操作に応じて、照明モードまたは放送切
換モード選択信号をリモートコントローラ信号受信器４５５に送信する。リモートコント
ローラ信号受信器４５５は、受信した照明モードまたは放送切換モード選択信号を操作信
号対応部４０４に入力する。
【００３２】
操作信号対応部４０４は、照明モード選択信号に応じて、信号処理器２００の映像信号
処理回路２０１を制御し、映像信号の処理を停止する。また、操作信号対応部４０４は、
放送切換モード選択信号に応じて、チューナ部１１０を制御し、信号処理器２００に出力
する放送信号を切り換える。
【００３３】
また、表示状態制御部４０２は、テレビジョン受信装置１００外部の明るさに応じて、
表示器３００のバックライト（ＬＥＤ）の輝度を制御したり、バックライトの照明エリア
を縮小させたりする。本実施の形態においては、表示状態制御部４０２は、明るさセンサ
４５３から入力される外部の明るさ情報に応じて、バックライトの輝度を制御することが
できる。従って、照明モードが選択された場合、テレビジョン受信装置１００は、外部の
明るさに応じて必要な光量を提供する照明装置として用いられる。
【００３４】
図４は、本実施形態におけるテレビジョン受信装置１００の動作モードを選択する画面
の一例である。表示器３００は、表示部３０１と、表示部３０１を表示器３００の筐体内
部から外側に向けて照射するバックライト（照射部）から構成される。この表示部３０１
に、動作モード選択画面３０２が表示される。
【００３５】
バックライトの構成の一例として、導光板と、この導光板の垂直方向の厚み面に対向し
て水平光源が配置され、水平方向の厚み面に対向して垂直光源が配置されているものがあ
る。各光源から出射された光は、導光板内で反射して導光板の前面方向へ出力する。光源
の素子としては、例えば複数の発光素子（ＬＥＤ）が使用される。各光源からの出射光は
、前面に向けて均一な光で出力するように導光板内で拡散されている。またバックライト
の他の構成としては、表示器３００のガラス基板の裏側に発光素子（ＬＥＤ）を２次元的
に配列した基板を配置しても良い。
【００３６】
動作モード選択画面３０２には、照明モード選択ボタン３０３と放送切換モード選択ボ
タン３０４とが選択可能に表示される。照明モード選択ボタン３０３と放送切換モード選
択ボタン３０４とは、例えばユーザがリモートコントローラ７００を操作することで選択
できる。
【００３７】
照明モード選択ボタン３０３が選択されると、操作信号対応部４０４からの操作信号に
基づいて、動作状態制御部４０１がチューナ部１１０を制御し、放送信号の受信を停止す
る。これに伴い、チューナ部１１０、信号処理部２００、デジタルアナログ変換器２０３
、スピーカ２０４の動作及び表示器３００における映像表示動作が停止され、省電力化を
図ることができる。
【００３８】
または、照明モード選択ボタン３０３が選択されると、チューナ部１１０での受信は継
続し、チューナ部１１０から信号処理器２００に放送信号を出力しないとしても良い。こ
の場合には、信号処理部２００、デジタルアナログ変換器２０３、スピーカ２０４の動作
及び表示器３００における映像表示動作が停止され、省電力化を図ることができる。
【００３９】
または、照明モード選択ボタン３０３が選択されると、チューナ部１１０での受信及び
信号処理器２００における信号処理は継続し、デジタルアナログ変換器２０３や表示器３
００に放送信号を出力しない構成としても良い。この場合には、スピーカ２０４における
動作及び表示器３００における映像表示動作が停止され、省電力化を図ることができる。
【００４０】
放送切換モード選択ボタン３０４が選択されると、操作信号対応部４０４からの操作信
号に基づいて、動作状態制御部４０１がチューナ部１１０を制御し、受信可能な他の放送
信号を選択し、信号処理器２００へ出力するように制御する。選択中の放送信号が受信不
可能でない場合には、放送切換モード選択ボタン３０４は表示されない若しくは選択不可
能な状態で表示される。
【００４１】
図５は、本実施形態におけるテレビジョン受信装置１００の動作モードの切り換え手順
を示すフローチャートである。
まず、電源制御部４０３は、電源出力回路５００を制御することにより、テレビジョン
受信装置１００の電力供給源をバッテリ５５３にする（ステップＳ１０１）。換言すると
、テレビジョン受信装置１００をバッテリ駆動状態にする。
【００４２】
次に、動作状態制御部４０１は、選択中の放送信号が受信不可であるか否かを判別する
（ステップＳ１０２）。ステップＳ１０２で判別した結果、選択中の放送信号が受信不可
でないと判別した場合（ステップＳ１０２のＮｏ）、ステップＳ１０２に遷移する。一方
、ステップＳ１０２で判別した結果、選択中の放送信号が受信不可であると判別した場合
（ステップＳ１０２のＹｅｓ）、動作状態制御部４０１はＲＡＭ４５１に格納されている
データに基づいて、動作モード選択画面３０２を表示する（ステップＳ１０３）。
【００４３】
次に、操作信号対応部４０４は、照明モード選択ボタン３０３が選択されたか否かを判
別する（ステップＳ１０４）。ステップＳ１０４で判別した結果、照明モード選択ボタン
３０３が選択されたと判別した場合（ステップＳ１０４のＹｅｓ）、動作状態制御部４０
１は、信号処理器２００を制御することで、映像の表示を停止すると共にバックライトの
点灯は継続する（ステップＳ１０５）。
【００４４】
次に、電力制御部４０３は、バッテリ５５３の残量があるか否かを判別する（ステップ
Ｓ１０６）。ステップＳ１０６で判別した結果、バッテリ５５３の残量があると判別した
場合（ステップＳ１０６のＹｅｓ）、ステップＳ１０２に遷移する。一方、ステップＳ１
０６で判別した結果、バッテリ５５３の残量がないと判別した場合（ステップＳ１０６の
Ｎｏ）、本動作モード選択手順を終了する。即ち、バッテリ残量がない場合には、テレビ
ジョン受信装置１００の動作は不可能となる。
【００４５】
一方、ステップＳ１０４で判別した結果、照明モード選択ボタン３０３が選択されてい
ないと判別した場合（ステップＳ１０４のＮｏ）、操作信号対応部４０４は、放送切換モ
ード選択ボタン３０４が選択されたか否かを判別する（ステップＳ１０７）。ステップＳ
１０７で判別した結果、放送切換モード選択ボタン３０４が選択されたと判別した場合（
ステップＳ１０７のＹｅｓ）、受信可能な放送信号に切り換える（ステップＳ１０８）。
一方、ステップＳ１０７で判別した結果、放送切換モード選択ボタン３０４が選択されて
いないと判別した場合（ステップＳ１０７のＮｏ）、ステップＳ１０６に遷移する。以上
で本動作モード選択手順は終了する。
【００４６】
以上の説明においては、ステップＳ１０２で選択中の放送信号が受信不可になった場合
に、動作モード選択画面３０２を出力して、照明モードと放送切換モードとを選択可能と
したが、これに限定されることはない。例えば、リモートコントローラ７００の操作によ
って動作モード選択画面３０２が出力できるようにしても良いし、リモートコントローラ
７００の操作によって直接各動作モードを選択できるとしても良い。または、テレビジョ
ン受信装置１００がバッテリ駆動に切り換わると、自動的に照明モードに切り換わるとし
ても良い。
【００４７】
以上のように構成されるテレビジョン受信装置１００によれば、バッテリ駆動中に、テ
レビジョン受信装置１００を照明代わりに使用することができる。即ち、バッテリ駆動中
に照明モードが選択されると、表示部３０１における映像の表示を停止して、バックライ
トの点灯だけを継続させる。従って、映像処理に関する各部の省電力化を図ると共に、停
電時にも室内を照らす照明としてテレビジョン受信装置１００を用いることができる。
【００４８】
また、停電時に選択していた放送信号が受信できなくなった場合には、放送の切り換え
を自動で行うことによりテレビジョン受信装置の利便性を向上させることができる。以上
のような動作モードを備えることにより、停電時におけるテレビジョン受信装置１００の
用途を広げることができる。
【００４９】
本発明のいくつかの実施形態を説明したが、これらの実施形態は、例として提示したも
のであり、発明の範囲を限定することは意図していない。これら新規な実施形態は、その
他の様々な形態で実施されることが可能であり、発明の要旨を逸脱しない範囲で、種々の
省略、置き換え、変更を行うことができる。これら実施形態やその変形は、発明の範囲や
要旨に含まれるとともに、特許請求の範囲に記載された発明とその均等の範囲に含まれる
。
【符号の説明】
【００５０】
１００…テレビジョン受信装置、１１０…チューナ部、２００…信号処理器、３００…
表示器、４００…制御ブロック、５００…電源回路、５５２…ＡＣアダプタ、５５３…バ
ッテリ、７００…リモートコントローラ。
【図１】
2013081006.tif 000003
【図２】
2013081006.tif 000004
【図３】
2013081006.tif 000005
【図４】
2013081006.tif 000006
【図５】
2013081006.tif 000007
【手続補正書】
【提出日】平成25年1月17日(2013.1.17)
【手続補正１】
【補正対象書類名】特許請求の範囲
【補正対象項目名】全文
【補正方法】変更
【補正の内容】
【特許請求の範囲】
【請求項１】
映像を表示する表示部と、
前記表示部を照射する照射部と、
前記表示部及び前記照射部へ電力を供給するバッテリと、
前記バッテリによる電力の供給がＯＦＦからＯＮに切り替わったことに対応して、動作モードを、前記照射部が前記表示部を照射しかつ前記表示部で映像が表示される第１の動作モードから前記照射部が前記表示部の照射を継続しかつ前記表示部での映像表示が停止される第２の動作モードに切り替える表示制御手段と、
を備える映像表示装置。
【請求項２】
前記表示部で表示する映像を受信する受信手段を更に有し、
前記表示制御手段は、前記表示部に表示していたコンテンツが受信不可能になった場合、前記受信手段で受信可能なコンテンツに切り換える請求項１に記載の映像表示装置。
【請求項３】
放送信号を受信する受信手段を更に有し、
前記表示制御手段は、前記受信手段で受信する放送信号に基づいて映像を表示し、前記表示部に表示していた映像の放送信号が受信不可能になった場合、前記受信手段で受信可能な放送信号に切り換える請求項１に記載の映像表示装置。
【請求項４】
映像を表示部に表示し、
前記表示部を照射部により照射し、
バッテリによる電力の供給がＯＦＦからＯＮに切り替わったことに対応して、動作モードを、前記照射部が前記表示部を照射しかつ前記表示部で映像が表示される第１の動作モードから前記照射部が前記表示部の照射を継続しかつ前記表示部での映像表示が停止される第２の動作モードに切り換える
表示制御方法。